(57)【特許請求の範囲】
【請求項１】
ホログラフィを利用して情報が記録される記録領域を有する光情報記録媒体に、光源からの光ビームを照射して、前記光情報記録媒体に情報を記録する光情報記録再生装置であって、
情報を記録するための信号光および参照光を照射する記録処理手段と、
前記光情報記録媒体の所望の位置に情報を記録する際、該所望位置に参照光と信号光を照射する前に予め所定の光ビームを照射するプリキュア処理手段、及び、前記光情報記録媒体の所望の位置に情報を記録した後、該所望の位置に追記不可能とするために所定の光ビームを照射するポストキュア処理手段の少なくと一方と、
前記記録処理手段を前記光情報記録媒体上の所望の位置へ移動するための第一の駆動手段とを具備し、
前記第一の駆動手段は、前記プリキュア処理手段及び前記ポストキュア処理手段の少なくとも一方の駆動手段でもあり、
前記プリキュア処理手段及び前記ポストキュア処理手段の少なくとも一方が前記第一の駆動手段内で移動する為の第二の駆動手段を前記第一の駆動手段内に備え、
前記第二の駆動手段は、前記プリキュア処理手段及び前記ポストキュア処理手段の少なくとも一方を、前記第一の駆動手段による駆動とは独立して駆動すること
を特徴とする光情報記録再生装置。
【請求項２】
請求項１に記載の光情報記録再生装置であって、
前記第一の駆動手段内に前記プリキュア処理手段及び前記ポストキュア処理手段を有し、前記プリキュア処理手段及び前記ポストキュア手段のそれぞれの照射手段が共通化されていること、
を特徴とする光情報記録再生装置。
【請求項３】
請求項１に記載の光情報記録再生装置であって、
前記プリキュア処理手段及び前記ポストキュア処理手段の少なくとも一方は、前記光情報記録媒体上へ光ビームを照射する際の入射角度を変更可能な手段を備える
ことを特徴とする光情報記録再生装置。
【請求項４】
請求項１に記載の光情報記録再生装置であって、
前記第二の駆動手段は、前記記録処理手段内のレンズを略中心とした円の円周上の一部または全てを移動することを特徴とする光情報記録再生装置。
【発明の詳細な説明】
【技術分野】
【０００１】
本発明は、ホログラフィを用いて、光情報記録媒体に情報を記録する、および／または光情報記録媒体から情報を再生する、装置に関する。
【背景技術】
【０００２】
現在、青紫色半導体レーザを用いた、Ｂｌｕ−ｒａｙ  Ｄｉｓｃ（ＢＤ）規格やＨｉｇｈ  Ｄｅｆｉｎｉｔｉｏｎ  Ｄｉｇｉｔａｌ  Ｖｅｒｓａｔｉｌｅ  Ｄｉｓｃ（ＨＤ  ＤＶＤ）規格などにより、民生用においても５０ＧＢ程度の記録密度を持つ光ディスクの商品化が可能となってきた。
【０００３】
今後は、光ディスクでも１００ＧＢ〜１ＴＢというＨＤＤ（Ｈａｒｄ  Ｄｉｓｃ  Ｄｒｉｖｅ）容量と同程度まで大容量化が望まれる。
【０００４】
しかしながら、このような超高密度を光ディスクで実現するためには、今までの様な短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特開２００４−２７２２６８号公報（特許文献１）がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間光変調器に表示して多重記録を行う、いわゆる角度多重記録方式が記載されている。さらに本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
また、ホログラム記録技術として、例えばＷＯ２００４−１０２５４２号公報（特許文献２）がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
また、特開２００７−１０１８８１（特許文献３）では、光情報記録媒体に光情報を記録する場合において記録前の定着処理が必要なことが述べられている。ここでは記録前の定着処理はプレキュアと呼ばれている。
【００１２】
また、特開２００７−２５６９４５号（特許文献４）では、光情報記録媒体に光情報を記録する場合において記録後の定着処理が必要なことが述べられている。記録光によって化学反応が光情報記録媒体に起き、再生照明光等による化学反応においても、記録された情報の状態を僅かずつ変化させるので再生の条件が一定せず、また記録データが消えてしまうため好ましくなく、記録後に再生照明光等により化学反応が起きないように定着を行う必要がある、としている。また、特開２００７−２５６９４５号（特許文献４）及び特表２００７−５１９０３６号公報（特許文献５）では、記録後の定着処理と記録処理を同時に行い、定着に必要な時間を別途設けないことで時間短縮を図る技術が記載されている。
【００１３】
【特許文献１】特開２００４−２７２２６８号公報
【特許文献２】ＷＯ２００４−１０２５４２号公報
【特許文献３】特開２００７−１０１８８１号公報
【特許文献４】特開２００７−２５６９４５号公報
【特許文献５】特表２００７−５１９０３６号公報
【発明の開示】
【発明が解決しようとする課題】
【００１４】
ホログラフィを利用した光情報記録再生装置においては、特許文献３で記述されているように記録前の照射処理(以下、プリキュア処理と呼ぶ)と、特許文献４で記述されているように記録後の定着処理(以下、ポストキュア処理と呼ぶ)が必要とされている。
【００１５】
このプリキュア処理、ポストキュア処理は、実際のデータ記録の為の照射ではなく記録の為の前処理、後処理として必要な処理であり、データ転送レートの観点から考えると無駄な処理時間となるため、データ転送レート低下の一因となる。
【００１６】
そこで、特許文献４で記述されているように、データ記録処理中にポストキュア処理を行うことでデータ転送レートの低下を防いでいる。しかしながら、プリキュア処理および／またはポストキュア処理が必要なシステムにおいて特許文献４では、データ記録処理と、定着処理それぞれの処理手段毎に駆動装置（特許文献４ではアクチュエータと記載）を具備し、任意の場所への移動を可能としているが、CDやDVDに代表される従来の光学系のディスクに情報を記録する記録再生装置においては、ホログラフィ記録のようにプリキュア処理やポストキュア処理が必要ない為、照射手段(＝ピックアップ)を目的照射位置まで移動させる駆動装置は１つであり、特許文献４のように複数の駆動装置を持つ必要がない。従って特許文献４のように複数の駆動装置を持つことはコストアップに繋がる。
【００１７】
本発明は上記問題を鑑みなされたものであり、データの記録前のプリキュア処理、もしくはデータの記録後のポストキュア処理が必要なホログラフィを利用した光情報記録再生処理において、データ記録中に同時にキュア処理を行う場合、前記駆動装置を複数個持たずにデータ記録及びデータの記録前のプリキュア処理、もしくはデータの記録後のポストキュア処理を行うことが可能な光情報記録再生装置を提供する事を目的とする。
【課題を解決するための手段】
【００１８】
本発明の目的は、その一例として、特許請求の範囲に記載の発明により達成できる。
【発明の効果】
【００１９】
本発明によれば、プリキュア処理またはポストキュア処理が必要なホログラフィを利用したデジタル情報の記録において、データ記録中にプリキュア処理および／またはポストキュア処理を同時に処理を行う場合でも低コストで光情報記録再生装置を提供することが可能となる。
【発明を実施するための最良の形態】
【００２０】
以下、本発明の実施例について説明する。
【実施例１】
【００２１】
図１はホログラフィを利用してデジタル情報を記録および／または再生する光情報記録再生装置の全体的な構成を示したものである。
【００２２】
光情報記録再生装置１０は、ピックアップ１１、位相共役光学系１２、ディスクＣｕｒｅ光学系１３、ディスク回転角度検出用光学系１４ならびに回転モータ５０を備えており、光情報記録媒体１は回転モータ５０によって回転可能な構成となっている。
【００２３】
ピックアップ１１は、参照光と信号光を光情報記録媒体１に出射してホログラフィを利用してデジタル情報を記録する役割を果たす。
【００２４】
この際、記録する情報信号はコントローラ８９によって信号生成回路８６を介してピックアップ１１内の後述する空間光変調器に送り込まれ、信号光は該空間光変調器によって変調される。
【００２５】
光情報記録媒体１に記録した情報を再生する場合は、ピックアップ１１から出射された参照光の位相共役光を位相共役光学系１２によって生成する。ここで位相共役光とは、入力光と同一の波面を保ちながら逆方向に進む光波のことである。該位相共役光によって再生される再生光をピックアップ１１内の後述する光検出器によって検出し、信号処理回路８５によって信号を再生する。
【００２６】
光情報記録媒体１に照射する参照光と信号光の照射時間は、ピックアップ１１内の後述するシャッタの開閉時間をコントローラ８９によってシャッタ制御回路８７を介して制御することで調整できる。
【００２７】
ディスクＣｕｒｅ光学系１３は、光情報記録媒体１のプリキュアおよびポストキュアに用いる光ビームを生成する役割を果たす。ここでプリキュアとは、光情報記録媒体１内の所望の位置に情報を記録する際、該所望位置に参照光と信号光を照射する前に予め所定の光ビームを照射する前工程の事である。またポストキュアとは、光情報記録媒体１内の所望の位置に情報を記録した後、該所望の位置に追記不可能とするために所定の光ビームを照射する後工程の事である。
【００２８】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
【００２９】
光源駆動回路８２からは所定の光源駆動電流がピックアップ１１、ディスクＣｕｒｅ光学系１３、ディスク回転角度検出用光学系１４内の光源に供給され、各々の光源からは所定の光量で光ビームを発光することができる。
【００３０】
また、ピックアップ１１、位相共役光学系１２、ディスクＣｕｒｅ光学系１３は、光情報記録媒体１の半径方向に位置をスライドできる機構が設けられており、アクセス制御回路８１を介して位置制御がおこなわれる。
【００３１】
ところでホログラフィを利用した記録技術は、超高密度な情報を記録可能な技術であるがゆえに、例えば光情報記録媒体１の傾きや位置ずれに対する許容誤差が極めて小さくなる傾向がある。それゆえピックアップ１１内に、例えば光情報記録媒体１の傾きや位置ずれ等、許容誤差が小さいずれ要因のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えても良い。
【００３２】
またピックアップ１１、位相共役光学系１２、ディスクＣｕｒｅ光学系１３、ディスク回転角度検出用光学系１４は、いくつかの光学系構成または全ての光学系構成をひとつに纏めて簡素化しても構わない。図１０はディスクＣｕｒｅ光学系１３をピックアップ１１に纏めた構成例である。
【００３３】
図２は、光情報記録再生装置１０におけるピックアップ１１の光学系構成の一例を示したものである。
【００３４】
光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってＰ偏光とＳ偏光の光量比が所望の比になるように偏光方向を制御された後、ＰＢＳ（Ｐｏｌａｒｉｚａｔｉｏｎ  Ｂｅａｍ  Ｓｐｌｉｔｔｅｒ）プリズム３０５に入射する。
【００３５】
ＰＢＳプリズム３０５を透過した光ビームは、ビームエキスパンダ３０９によって光ビーム経を拡大された後、位相マスク３１１、リレーレンズ３１０、ＰＢＳプリズム３０７を経由して空間光変調器３０８に入射する。
【００３６】
空間光変調器３０８によって情報を付加された信号光ビームはＰＢＳプリズム３０７を透過し、リレーレンズ３１２ならびに空間フィルタ３１３を伝播する。その後、信号光ビームは対物レンズ３２５によって光情報記録媒体１に集光する。
【００３７】
一方、ＰＢＳプリズム３０５を反射した光ビームは参照光ビームとして働き、偏光方向変換素子３２４によって記録時または再生時に応じて所定の偏光方向に設定された後、ミラー３１４ならびにミラー３１５を経由してガルバノミラー３１６に入射する。ガルバノミラー３１６はアクチュエータ３１７によって角度を調整可能のため、レンズ３１９とレンズ３２０を通過した後に情報記録媒体１に入射する参照光ビームの入射角度を、所望の角度に設定することができる。
【００３８】
このように信号光ビームと参照光ビームを光情報記録媒体１において、互いに重ね合うように入射させることで、記録媒体内には干渉縞パターンが形成され、このパターンを記録媒体に書き込むことで情報を記録する。またガルバノミラー３１６によって光情報記録媒体１に入射する参照光ビームの入射角度を変化させることができるため、角度多重による記録が可能である。
【００３９】
記録した情報を再生する場合は、前述したように参照光ビームを光情報記録媒体１に入射し、光情報記録媒体１を透過した光ビームをガルバノミラー３２１にて反射させることで、その位相共役光を生成する。
【００４０】
この位相共役光によって再生された再生光ビームは、対物レンズ３２５、リレーレンズ３１２ならびに空間フィルタ３１３を伝播する。その後、再生光ビームはＰＢＳプリズム３０７を反射して光検出器３１８に入射し、記録した信号を再生することができる。
【００４１】
なお、ピックアップ１１の光学系構成は図２に限定されるものではなく、例えば図３に示すような構成であっても構わない。
【００４２】
図３について説明する。
【００４３】
光源２０１を出射した光ビームはコリメートレンズ２０２を透過し、シャッタ２０３に入射する。シャッタ２０３が開いている時は、光ビームはシャッタ２０３を通過した後、例えば２分の１波長板などで構成される光学素子２０４によってＰ偏光とＳ偏光の光量比が所望の比になるように偏光方向を制御された後、ＰＢＳプリズム２０５に入射する。
【００４４】
ＰＢＳプリズム２０５を透過した光ビームは、ＰＢＳプリズム２０７を経由して空間光変調器２０８に入射する。
【００４５】
空間光変調器２０８によって情報を付加された信号光ビーム２０６はＰＢＳプリズム２０７を反射し、所定の入射角度の光ビームのみを通過させるアングルフィルタ２０９を伝播する。その後、信号光ビームは対物レンズ２１０によって光情報記録媒体１に集光する。
【００４６】
一方、ＰＢＳプリズム２０５を反射した光ビームは参照光ビーム２１２として働き、偏光方向変換素子２１９によって記録時または再生時に応じて所定の偏光方向に設定された後、ミラー２１３ならびにミラー２１４を経由してレンズ２１５に入射する。
【００４７】
レンズ２１５は参照光ビーム２１２を対物レンズ２１０のバックフォーカス面に集光させる役割を果たしており、対物レンズ２１０のバックフォーカス面にて一度集光した参照光ビームは、対物レンズ２１０によって再度、平行光となって光情報記録媒体１に入射する。
【００４８】
ここで対物レンズ２１０または光学ブロック２２１は、例えば符号２２０に示す方向に駆動可能であり、対物レンズ２１０または光学ブロック２２１の位置を駆動方向２２０に沿ってずらすことにより、対物レンズ２１０と対物レンズ２１０のバックフォーカス面における集光点の相対位置関係が変化するため、光情報記録媒体１に入射する参照光ビームの入射角度を所望の角度に設定することができる。
【００４９】
このように信号光ビームと参照光ビームを光情報記録媒体１において、互いに重ね合うように入射させることで、記録媒体内には干渉縞パターンが形成され、このパターンを記録媒体に書き込むことで情報を記録する。また対物レンズ２１０または光学ブロック２２１の位置を駆動方向２２０に沿ってずらす事によって、光情報記録媒体１に入射する参照光ビームの入射角度を変化させることができるため、角度多重による記録が可能である。
【００５０】
記録した情報を再生する場合は、前述したように参照光ビームを光情報記録媒体１に入射し、光情報記録媒体１を透過した光ビームをガルバノミラー２１６にて反射させることで、その位相共役光を生成する。
【００５１】
この位相共役光によって再生された再生光ビームは、対物レンズ２１０、アングルフィルタ２０９を伝播する。その後、再生光ビームはＰＢＳプリズム２０７を透過して光検出器２１８に入射し、記録した信号を再生することができる。
【００５２】
図３で示した光学系は、信号光ビームと参照光ビームを同一の対物レンズに入射させる構成とすることで、図２で示した光学系構成に比して、大幅に小型化できる利点を有する。
【００５３】
図４は、光情報記録再生装置１０における記録、再生の動作フローを示したものである。ここでは、特にホログラフィを利用した記録再生に関するフローを説明する。
【００５４】
図４（ａ）は、光情報記録再生装置１０に光情報記録媒体１を挿入した後、記録または再生の準備が完了するまでの動作フローを示し、図４（ｂ）は準備完了状態から光情報記録媒体１に情報を記録するまでの動作フロー、図４（ｃ）は準備完了状態から光情報記録媒体１に記録した情報を再生するまでの動作フローを示したものである。
【００５５】
図４（ａ）に示すように媒体を挿入すると、光情報記録再生装置１０は、例えば挿入された媒体がホログラフィを利用してデジタル情報を記録または再生する媒体であるかどうかディスク判別を行う。
【００５６】
ディスク判別の結果、ホログラフィを利用してデジタル情報を記録または再生する光情報記録媒体であると判断されると、光情報記録再生装置１０は光情報記録媒体に設けられたコントロールデータを読み出し、例えば光情報記録媒体に関する情報や、例えば記録や再生時における各種設定条件に関する情報を取得する。
【００５７】
コントロールデータの読み出し後は、コントロールデータに応じた各種調整やピックアップ１１に関わる学習処理を行い、光情報記録再生装置１０は、記録または再生の準備が完了する。
【００５８】
準備完了状態から情報を記録するまでの動作フローは図４（ｂ）に示すように、まず記録するデータを受信して、該データに応じた情報をピックアップ１１内の空間光変調器に送り込む。
【００５９】
その後、光情報記録媒体に高品質の情報を記録できるように、必要に応じて各種学習処理を事前に行い、シーク動作ならびにアドレス再生を繰り返しながらピックアップ１１ならびにディスクＣｕｒｅ光学系１３の位置を光情報記録媒体の所定の位置に配置する。
【００６０】
その後、ディスクＣｕｒｅ光学系１３から出射する光ビームを用いて所定の領域をプリキュアし、ピックアップ１１から出射する参照光と信号光を用いてデータを記録する。
【００６１】
データを記録した後は、必要に応じてデータをベリファイし、ディスクＣｕｒｅ光学系１３から出射する光ビームを用いてポストキュアを行う。
【００６２】
準備完了状態から記録された情報を再生するまでの動作フローは図４（ｃ）に示すように、光情報記録媒体から高品質の情報を再生できるように、必要に応じて各種学習処理を事前に行う。その後、シーク動作ならびにアドレス再生を繰り返しながらピックアップ１１ならびに位相共役光学系１２の位置を光情報記録媒体の所定の位置に配置する。
【００６３】
その後、ピックアップ１１から参照光を出射し、光情報記録媒体に記録された情報を読み出す。
【００６４】
ここから、図１０で示した構成例における本発明のホログラフィを利用したデジタル情報の記録において、データ記録中に同時にキュア処理を行う場合、１つの駆動装置で記録処理とプリキュア処理またはポストキュア処理を行う方法について詳細に説明する。
【００６５】
なお、本実施例で使用する駆動装置とはレーザー照射手段を光情報記録媒体上の任意の目的照射位置まで移動させる装置を意味する。
【００６６】
最初に、図５、図６を用いてデータ記録方法について説明する。
【００６７】
図５において、５０１は、横軸を時間軸としたプリキュア処理、データ記録処理、ポストキュア処理の実行タイムスケジュール例を示している。５０２は１箇所（１ブロックに相当）に多重記録を行う際に必要な時間Twである。５０３はプリキュア用に割り当てられている時間でありTwと同じ時間であり、５０４が実際のプリキュアに必要な時間Tprとなる。（Tw−Tpr）で算出される時間は発光処理(光ビーム照射)は行われていない。図５の５０６はポストキュア用に割り当てられている時間でありTwと同じ時間であり、５０６が実際のポストキュアに必要な時間Tpoである。(Tw−Tpo)で算出される時間は発光処理(光ビーム照射)は行われていない。
【００６８】
斜線部分が実際の発光処理の期間であり、各処理は時間Tw単位で５０１で示したようにパイプライン処理的な処理を行う。
【００６９】
複数のレーザー照射手段を備えていれば、１ブロックの記録開始から記録終了までの処理（プリキュア処理＋データ記録処理＋ポストキュア処理）に（Tpr＋Tw＋Tpo）の時間を要していた期間が、（Tw）の時間のみに短縮可能となる。５０７を使って更に説明を加える。図５において、５０１中、枠で囲った部分の光ビーム照射状態を５０７で示してあり、５０７のA〜Gは、５０１のA〜Gと１対１に対応する。例えば５０１中のAは５０７中のAの箇所に光ビームを照射中を意味する。５０７中にA〜Gまで並べられたブロックは本実施例における連続した記録範囲であり、各ブロックへ多重記録が矢印の方向に向かって行われる。５０８〜５１１は夫々のブロックの記録状態を示しており、５０８は何も光ビームが照射されていない未記録状態を示し、５０９はプリキュア処理状態(開始〜終了)を示し、５１０は記録処理状態(多重記録開始〜多重記録終了)を示し、５１１はポストキュア処理状態(開始〜終了)を示す。また５１２はプリキュア処理用の光ビーム照射位置を簡易的に示したものであり、５１３はデータ記録処理用の光ビーム照射位置を簡易的に示したものであり、５１４はポストキュア処理用の光ビーム照射位置を簡易的に示したものである。この５１２〜５１４が隣り合う３つの連続したブロックを同時に照射可能な位置に配置され、記録方向へ並んだブロック順に照射して行く。この際、光情報記録媒体が移動しても、照射する光ビームを移動させても良い。
【００７０】
５１５の処理状態はプリキュア処理用の光ビーム照射位置５１２がAのブロックを照射している状態で、残り2つはまだ光ビームは照射されていない状態である。その後プリキュア処理が５０１中のEまで進んだ状態が５１６であり、A〜Bはポストキュア処理済み、Cはポストキュア処理済またはポストキュア処理中、Dは記録処理済みまたは記録処理中、Eはプリキュア処理済みまたはプリキュア処理中となる。このように、データ記録処理中に次ブロックのプリキュア処理を同時に行い、データ記録処理中に前ブロックのポストキュア処理を同時に行うことで、プリキュア処理、ポストキュア処理だけの為に時間を別途割く必要がなくなる。
【００７１】
但し、前述したように記録の最初にプリキュア処理のみを行う期間や、最後にポストキュア処理のみを行う期間などが発生する。例えば、５０７中のGブロックで記録終了する場合、プリキュア処理、記録処理はGブロックを処理後は光ビームは照射されず、最後にポストキュア処理用の光ビームが照射されて記録終了となる。しかしこの時間は連続する記録処理全体としてみた場合、僅かな時間であり転送レートに影響を与えるものではない。
【００７２】
図６は、ピックアップ１１とディスクＣｕｒｅ光学系１３を一つに纏めた場合の、光ビーム照射手段の配置例である。図５におけるデータ記録処理用の光ビーム照射手段５１３を６０２に配置する。また、プリキュア処理用の光ビーム照射手段５１２と、ポストキュア処理用の光ビーム照射手段５１４を兼用するキュア手段を６０３に配置する。この６０２と６０３は同一の駆動装置上６０１に配置され、ホログラフィの記録面上に光ビームを照射するために記録面上の任意の位置へ移動可能である。６０３のキュア手段は、６０２の位置を中心にその移動軌跡６０４が円を描くように動作可能である。本実施例では円を描く例を示したが、この移動軌跡６０４は必ずしも円を描く必要はなく、楕円であっても、直線的に動作しても問題は無い。また、当然であるが６０２を中心とした移動軌跡を描く必要もない。
【００７３】
６０５、６０６は夫々、６０２、６０３からホログラフィの記録面上に照射されたスポットを示しており、６０７は移動軌跡６０４を記録面上に描いたもの、６０８はデータ記録が行われる記録軌跡を示したものである。６０３のように配置を行えば、光ビームが記録面上に照射するスポット６０６は６０７の軌跡上であれば、自由に照射可能となる。当然、駆動装置６０１を移動させれば６０７軌跡上でなくとも照射が可能である。
【００７４】
６０９、６１２、６１５は、この配置を利用してプリキュアとポストキュア処理の光ビーム照射手段の兼用を実現させる一例である。
【００７５】
６０９の事例は、データ記録処理を行いながら、プリキュア処理を行っている例である。６１０の位置でデータ記録を行い、６１１の位置でプリキュア処理を行っている。
【００７６】
６１２の事例は、データ記録処理を行いながら、ポストキュア処理を行っている例である。６１３の位置でデータ記録を行い、６１４の位置でポストキュア処理を行っている。
【００７７】
６０９の事例から６１２の事例の処理を行いたい場合は、６０３の位置を６０２の位置を中心に１８０度移動させ、照射すれば良い。こうすることで、６０５の位置で多重記録中でも駆動手段６０１を移動させること無く(＝データ記録を中断することなく)、プリキュア処理とポストキュア処理の双方を行うことが可能となる。６０９、６１２の事例では記録方向の上にスポットを照射する例を示したが、光ビームが記録面上に照射するスポット６０６は６０７の軌跡上であれば、任意の位置でのプリキュア処理、ポストキュア処理が可能となる。
【００７８】
６１５の事例は、プリキュア処理とポストキュア処理の光ビーム照射手段をそれぞれ設け、任意の位置でプリキュア位置、ポストキュア処理を同時に行っている事例である。プリキュア処理用とポストキュア処理用を兼用せずとも同様の効果が得られる。
【００７９】
以上、このように１つの駆動装置上にプリキュア処理用の光ビーム照射手段５１２と、ポストキュア処理用の光ビーム照射手段５１４を兼用するキュア用光ビーム照射手段を配置し、そのキュア用光ビーム照射手段を駆動装置内で移動可能な配置とすることで、データ記録中に駆動装置を動かすことなく、ポストキュア処理、プリキュア処理を行うことが可能となる。
【００８０】
図７は横軸を時間軸としたプリキュア処理、データ記録処理、ポストキュア処理の実行タイムスケジュール例を示した図である。光ビーム照射位置５１３でデータを記録中に、キュア用光ビーム処理手段を５１２のプリキュア処理が終了した後に５１４の位置へ移動しポストキュア処理を行うことにより(順序は逆でも良い)、１つの駆動装置にて、データ記録処理中に他ブロックのプリキュア処理、ポストキュア処理を同時に行うことで、データを多重記録中にその駆動装置を移動することなく、プリキュア処理とポストキュア処理の双方を実現する。図６の６０９、６１２、６１５の事例(＝図７の事例)では、例えば図７におけるCの隣接する記録位置B,Dへの照射ではないが、この時隣接する記録位置へ照射するか否かは問題とはならない。
【００８１】
もし隣接する位置へプリキュア処理および／またはポストキュア処理（以下、まとめてキュア処理とする）を行いたい場合は図８の６１６のように６０３の移動半径は変えずに、照射方向を記録面に対して垂直方向でなく斜めに照射し、６０５に隣接する位置６０６へのキュア処理が可能となる。もしくは、６１７のように６０３の移動半径を変えて、照射方向を記録面に対して垂直方向に照射すれば、６０５に隣接する位置６０６へ照射が可能となるように半径位置を調整すれば、６０５に隣接する位置６０６へのキュア処理が可能となる。なおデータ記録用照射スポットから何ブロック離れて照射されているかは問題ではない。
【００８２】
また、６１８のように６１６の事例を応用して移動軌跡の外に十分なキュア効果が得られる範囲で照射すれば、移動軌跡の外周領域にもキュア処理が可能となる。
【実施例２】
【００８３】
続けて図９を用いて第２の実施例を説明する。図６に代表される第１の実施例と異なる点は、プリキュア処理用の光ビーム照射手段５１２が６０３に、ポストキュア処理用の光ビーム照射手段５１４が６０４に、それぞれ個別に同一の駆動装置上６０１の固定位置に配置され、駆動装置上を移動しないという点である。
【００８４】
９０１、９０３の事例から説明を行う。
【００８５】
９０５は光情報記録媒体へレーザー光を照射するためのキュア処理用の光源であり、本図では省略されているレーザー照射に必要な光学系を経由して、ミラー９０６で反射され、６０３の位置から光情報記録媒体上の６０６へレーザー光が照射される。９０３は横から見た図であり、光源９０５から発生したビームが９０６のミラーを経由して６０６へ照射されているのがわかる。
【００８６】
次に、９０２、９０４の事例の説明を行う。この事例では９０６のミラーへ到達する前に、ミラー９０７を設置することで、６０４の位置から光情報記録媒体上の６０８へレーザー光が照射される。９０４は横から見た図であり、光源９０５から発生したビームが９０７のミラーを経由して６０８へ照射されているのがわかる。
【００８７】
ミラー９０６にビームを到達させて、６０３の位置から光情報記録媒体上の６０６へレーザー光を照射する場合は、ミラー９０７によって遮断されないように、９０３の事例に示されるようにミラー９０７を移動させればよい。
【００８８】
９０１，９０３の事例をプリキュア処理用の照射、９０２，９０４の事例をポストキュア処理用の照射に適応すると、同一の駆動装置６０１上でデータ記録中に駆動装置を動かすことなく、ポストキュア処理、プリキュア処理を行うことが可能であり、第１の実施例と同等の効果が得られる。なお、実施例２では光源９０５をプリキュア用処理とポストキュア用処理と兼用としたが、それぞれ別光源で実現しても良い。また、ミラー９０６、９０７は６０６、６０８への照射を実現するために示した一例であり、６０６、６０８への照射が実現出来れば必ずしも必要な手段ではない。
【００８９】
以上、本発明に従う光情報記録再生装置及び方法の実施形態について説明したが、本発明は上記実施形態に限定されず、本発明の要旨を逸脱しない範囲において種々の改良や変形を行うことができる。
【図面の簡単な説明】
【００９０】
【図１】光情報記録再生装置の実施例を表す概略図
【図２】光情報記録再生装置内のピックアップの実施例を表す概略図
【図３】光情報記録再生装置内のピックアップの実施例を表す概略図
【図４】光情報記録再生装置の動作フローの実施例を表す概略図
【図５】転送レート向上が実現可能なレーザー照射の配置の説明を行う図
【図６】低コスト化を実現する為の実施例１の説明を行う図その１
【図７】低コスト化を実現する為の実施例１の説明を行う図その２
【図８】低コスト化を実現する為の実施例１の説明を行う図その３
【図９】低コスト化を実現する為の実施例２の説明を行う図
【図１０】図1のディスクＣｕｒｅ光学系１３をピックアップ１１に纏めた構成例
【符号の説明】
【００９１】
１・・・光情報記録媒体、１０・・・光情報記録再生装置、１１・・・ピックアップ、
１２・・・位相共役光学系、１３・・・ディスクＣｕｒｅ光学系、
１４・・・ディスク回転角度検出用光学系、５０・・・回転モータ、
８１・・・アクセス制御回路、８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、
２０１・・・光源、２０２・・・コリメートレンズ、２０３・・・シャッタ、
２０４・・・光学素子、２０５・・・偏光ビームスプリッタ、２０６・・・信号光、
２０７・・・偏光ビームスプリッタ、２０８・・・空間光変調器、
２０９・・・アングルフィルタ、２１０・・・対物レンズ、
２１１・・・対物レンズアクチュエータ、２１２・・・参照光、２１３・・・ミラー、
２１４・・・ミラー、２１５・・・レンズ、２１６・・・ミラー、２１７・・・アクチュエータ、
２１８・・・光検出器、２１９・・・偏光方向変換素子、２２０・・・駆動方向、
２２１・・・光学ブロック、
３０１・・・光源、３０２・・・コリメートレンズ、３０３・・・シャッタ、
３０４・・・光学素子、３０５・・・偏光ビームスプリッタ、
３０６・・・信号光、３０７・・・偏光ビームスプリッタ、３０８・・・空間光変調器、
３０９・・・ビームエキスパンダ、３１０・・・リレーレンズ、
３１１・・・フェーズ（位相）マスク、３１２・・・リレーレンズ、
３１３・・・空間フィルタ、３１４・・・ミラー、３１５・・・ミラー、
３１６・・・ミラー、３１７・・・アクチュエータ、３１８・・・光検出器、
３１９・・・レンズ、３２０・・・レンズ、３２１・・・ミラー、３２２・・・アクチュエータ、
３２３・・・参照光、３２４・・・偏光方向変換素子、３２５・・・対物レンズ
５０１・・・各処理タイムスケジュール、５０２・・・１箇所へ多重記録に必要な時間Ｔｗ、
５０３・・・プリキュア処理が可能な時間、５０４・・・実際プリキュアを実行する時間Ｔｐｒ、
５０５・・・ポストキュア処理が可能な時間、
５０６・・・実際ポストキュアを実行する時間Ｔｐｏ、５０７・・・実際の記録イメージ、
５０８・・・何も光ビームが照射されていない未記録状態、
５０９・・・プリキュア処理状態（開始〜終了）、
５１０・・・記録処理状態（多重記録開始〜多重記録終了）
５１１・・・ポストキュア処理状態（開始〜終了）
５１２・・・プリキュア処理用の光ビーム照射位置、５１３・・・データ記録処理用の光ビーム照射位置、５１４・・・ポストキュア処理用の光ビーム照射位置、
６０１・・・駆動装置、６０２・・・光ビーム照射手段５１３の配置位置、
６０３・・・キュア手段の配置位置、６０４・・・６０３の移動軌跡、６０５・・・６０２から記録面上への照射スポット、６０６・・・６０３から記録面上への照射スポット、
６０７・・・６０６の移動軌跡、６０８・・・データ記録が行われる記録軌跡、
６０９・・・データ記録処理を行いながら、プリキュア処理を行っている例、
６１０・・・データ記録スポット、６１１・・・プリキュア処理スポット、
６１２・・・データ記録処理を行いながら、ポストキュア処理を行っている例、
６１３・・・データ記録スポット、６１４・・・ポストキュア処理スポット、
６１５・・・任意の位置でプリキュア位置、ポストキュア処理を同時に行っている事例、
９０１・・・低コスト化を実現する実施例２の説明を行う例その１、
９０２・・・低コスト化を実現する実施例２の説明を行う例その２、
９０３・・・９０１を横から見た図、９０４・・・９０２を横から見た図、
９０５・・・キュア処理用の光源、９０６、９０７・・・ミラー
【図１】
0004881914.tif 000002
【図２】
0004881914.tif 000003
【図３】
0004881914.tif 000004
【図４】
0004881914.tif 000005
【図５】
0004881914.tif 000006
【図６】
0004881914.tif 000007
【図７】
0004881914.tif 000008
【図８】
0004881914.tif 000009
【図９】
0004881914.tif 000010
【図１０】
0004881914.tif 000011